(57)【要約】【課題】天井や壁面に配設されたダクトレールに照明器具を接続するためのダクトレール用の電気プラグにおいて、設置安定性の向上を図ること。【解決手段】ランプユニット５の電気配線に繋がる一対のプラグ端子１３と、プラグ本体１０の上面部１０２から上方へ延出し、ダクトレール３の下面部３０１のスライド溝３１に挿通可能な支軸１１と、支軸１１の側面部から外側方へ延出し、スライド溝３１の内側縁部３２に係合可能な係合フランジ１２とを備え、支軸１１の上端部１１２に、弾性を有するパッド部材１４が設けられ、支軸１１をスライド溝３１に挿通させ、係合フランジ１２を内側縁部３２に係合させることで、プラグ端子１３がダクトレール３のレール端子３３に当接し且つパッド部材１４がダクトレール３の内側上面３０２に圧接した状態で、プラグ本体１０がダクトレール３に対して抜け止め状態で接続支持されるように構成されたこと。【選択図】図１
2019016432.tif 000002
【特許請求の範囲】
【請求項１】
室内の天井や壁面に配設されたダクトレールに照明器具を電気接続するための電気プラグであって、
ランプユニットの電気配線に繋がる一対のプラグ端子と、
プラグ本体の上面部から上方へ延出し、ダクトレールの下面部に設けられたスライド溝に挿通可能な支軸と、
支軸の側面部から外側方へ延出し、スライド溝の内側縁部に係合可能な係合フランジとを備え、
支軸の上端部に、弾性を有するパッド部材が設けられ、
支軸をスライド溝に挿通させ、係合フランジを前記内側縁部に係合させることで、プラグ端子がダクトレールのレール端子に当接し且つパッド部材がダクトレールの内側上面に圧接した状態で、プラグ本体がダクトレールに対して抜け止め状態で接続支持されるように構成された、電気プラグ。
【請求項２】
請求項１に記載の電気プラグにおいて、
パッド部材は、上下方向に弾性を有する連結子を介して支軸に連結支持された、電気プラグ。
【発明の詳細な説明】
【技術分野】
【０００１】
本発明は、室内の天井や壁面に配設されたダクトレールに照明器具を接続するためのダクトレール用の電気プラグに関する。
【背景技術】
【０００２】
近年、スポットライトやペンダントライトなどの照明器具を室内の天井や壁面に取り付け支持するための配線器具として、照明器具の配置を一定の範囲内でスライド調整可能とするダクトレールが広く用いられている。
【０００３】
従来、上記ダクトレールに照明器具を接続するためのダクトレール用の電気プラグにおいて、プラグ本体に、係合フランジおよびプラグ端子を有する支軸が設けられており、上記支軸をダクトレールのスライド溝に挿通させ、支軸を中心としてプラグ本体を所定の角度回動させることで、プラグ端子がスライド溝の内側に設けられたレール端子に当接すると共に、係合フランジがスライド溝の内側縁に上方から係合し、これによって、照明器具のランプユニットがダクトレールに対して給電可能な状態で接続支持されるように構成されたものが知られている（例えば、特許文献１から３参照）。
【先行技術文献】
【特許文献】
【０００４】
【特許文献１】実開昭５５−４５１８１号公報
【特許文献２】実用新案登録第３１１８８５４号公報
【特許文献３】特開２００８−９７９３１号公報
【発明の概要】
【発明が解決しようとする課題】
【０００５】
詳述すると、図４および図５に示す従来のダクトレール用の電気プラグ７は、略円柱状のプラグ本体７０を有し、プラグ本体７０の下面部７０１にランプユニット５が連結される。一方、プラグ本体７０の上面部（本体上面部）７０２には、ダクトレール３の下面部３０１に設けられたスライド溝３１に挿通可能な支軸７１が設けられている。
【０００６】
支軸７１の外周面における支軸７１を挟んで対称位置には、スライド溝３１の内側縁部（レール部）３２の上部にダクトレール３の内側から当接係合可能な係合フランジ７２と、ランプユニット５の図示しない電気配線に繋がるプラグ端子７３とが、それぞれ略水平外向きに延設されている。
【０００７】
係合フランジ７２は、本体上面部７０２に上方位置に、所定の間隙Ｓ２を存して配設され、プラグ端子７３は、係合フランジ７２よりさらに上方位置に配設されている。係合フランジ７２およびプラグ端子７３の幅寸法は、スライド溝３１の開口幅より小さく設定されている。また、二つの係合フランジ７２の先端相互間の距離は、スライド溝３１の開口幅より大きく設定されている。
【０００８】
従って、支軸７１を係合フランジ７２の延出方向とスライド溝３１の延長方向とを合致させた向きでスライド溝３１に差し込み、プラグ本体７０を周方向へ回動させれば、係合フランジ７２と本体上面部７０２との間隙Ｓ２にレール部３２が挿通係合され、且つ、プラグ端子７３がダクトレール３の内側側面３０３に沿って設けられたレール端子３３に当接する。これにより、電気プラグ７がダクトレール３に対して抜け止め状態で接続支持されると共に、ランプユニット５と屋内の電気配線とがレール端子３３を通じて電気接続される。
【０００９】
しかしながら、上記従来の電気プラグ７では、照明器具の配置を容易に調整できるよう、レール部３２に対して係合フランジ７２が摺動可能な状態で係合するように構成されているため、例えばランプユニット５の清掃作業やランプの取替え作業中に、プラグ本体７０に対してスライド溝３１の延長方向へ所定以上の力が加わった場合に、ダクトレール３との接続位置が元の位置からずれて、照明器具の配置が意図せず変わってしまう問題があった。
【００１０】
また、図４および図５に示したように、支軸７１の上端部７１２に、金属製の線材で形成されたアース端子７４が突設されており、プラグ本体７０をスライド溝３１に接続したときに、アース端子７４の上端がダクトレール３の内側上面３０２に当接するように構成されたものでは、プラグ本体７０がスライド溝３１に沿って摺動した際に、ダクトレール３の内側上面３０２がアース端子７４によって傷つけられたり、不要な騒音が発生したりする問題もあった。
【００１１】
さらに、上記電気プラグ７は、図６に示すように、ダクトレール３のスライド溝３１に所定の間隔を存して二つ接続し、それら各プラグ本体７０の下面部７０１に連結されたソケット部５０の相互間に直管状のランプ５Ｅを接続して使用することも可能であるが、このような構成で使用する場合、一方の電気プラグ７が他方の電気プラグ７から離れる方向へ意図せず摺動すれば、ランプ５Ｅがソケット部５０から脱落する虞もあった。
【００１２】
本発明は、上記課題を鑑みてなされたものであり、その目的は、天井や壁面に配設されたダクトレールに照明器具を接続するためのダクトレール用の電気プラグにおいて、設置安定性の向上を図ることにある。
【課題を解決するための手段】
【００１３】
本発明は、室内の天井や壁面に配設されたダクトレールに照明器具を電気接続するための電気プラグであって、ランプユニットの電気配線に繋がる一対のプラグ端子と、プラグ本体の上面部から上方へ延出し、ダクトレールの下面部に設けられたスライド溝に挿通可能な支軸と、支軸の側面部から外側方へ延出し、スライド溝の内側縁部に係合可能な係合フランジとを備え、支軸の上端部に、弾性を有するパッド部材が設けられ、支軸をスライド溝に挿通させ、係合フランジを前記内側縁部に係合させることで、プラグ端子がダクトレールのレール端子に当接し且つパッド部材がダクトレールの内側上面に圧接した状態で、プラグ本体がダクトレールに対して抜け止め状態で接続支持されるように構成されたものである。
【００１４】
このものでは、プラグ本体をダクトレールのスライド溝に接続させたとき、支軸上端のパッド部材がダクトレールの内側上面に圧接されるから、たとえプラグ本体にスライド溝の延長方向への力が加わっても、元の接続位置からずれ難い。これにより、照明器具の配置が意図せず変わってしまうのを防止できる。また、ダクトレールに対する接続位置が元の位置からずれ難いから、支軸の上端部にアース端子が突設され、上記アース端子の上端がダクトレールの内側上面に当接するような構成であっても、ダクトレールの内側上面がアース端子によって傷つけられたり、不要な騒音が発生したりするのを防止できる。
【００１５】
好ましくは、上記電気プラグにおいて、パッド部材は、上下方向に弾性を有する連結子を介して支軸に連結支持される。
【００１６】
このものでは、プラグ本体をダクトレールのスライド溝に接続させたとき、パッド部材は、パッド部材自体の弾性力に加え、連結子の弾性力によってもダクトレールの内側上面に押し付けられるから、ダクトレールに対する接続位置のずれをより確実に防止できる。
【発明の効果】
【００１７】
以上のように、本発明によれば、プラグ本体にスライド溝の延長方向への力が加わっても接続位置がずれ難い、設置安定性の高いダクトレール用の電気プラグを提供できる。
【図面の簡単な説明】
【００１８】
【図１】図１は、本発明の実施の形態に係る電気プラグの斜視図である。
【図２】図２は、本発明の実施の形態に係る電気プラグの正面図である。
【図３】図３は、本発明の実施の形態に係る電気プラグの概略縦断面図である。
【図４】図４は、従来の電気プラグの斜視図である。
【図５】図５は、従来の電気プラグの正面図である。
【図６】図６は、従来の電気プラグの使用形態の一例を示す図である。
【発明を実施するための形態】
【００１９】
次に、上記した本発明を実施するための形態について、添付図面を参照しながら詳述する。
【００２０】
図１および図２に示すように、本発明の実施の形態に係る電気プラグ１は、室内の天井や壁面に配設されたダクトレール３に、スポットライトやペンダントライトなどの照明器具を接続するためのダクトレール用の電気プラグであり、略円柱状のプラグ本体１０の下面部（以下、「本体下面部」という）１０１に、ランプユニット５が連結される。本実施の形態では、本体下面部１０１に直管状のランプ５Ｅを単数又は複数接続可能なソケット部５０が連結されており、図６に示した電気プラグ７と同様、二つの電気プラグ１を、ダクトレール３の下面部（以下、「レール下面部」という）３０１に設けられたスライド溝３１に所定の間隔を存して接続し、それら各ソケット部５０の相互間にランプ５Ｅを接続して使用される。尚、ソケット部５０は、図示しない外装カバーによって覆われ、これら外装カバーやソケット部５０、ランプ５Ｅによってランプユニット５が構成されている。
【００２１】
プラグ本体１０の上面部（以下、「本体上面部」という）１０２には、上方へ向かって延出し、ダクトレール３のスライド溝３１に挿通可能な略円柱状の支軸１１が立設されている。また、プラグ本体１０の外周面１０３には、電気プラグ１をダクトレール３に接続支持させた状態において、プラグ本体１０の周方向への回動を阻止するロックレバー２０が設けられている。尚、本明細書では、本体下面部１０１を電気プラグ１の下面、プラグ本体１０におけるロックレバー２０の配設部を電気プラグ１の正面として、プラグ本体１０の中心軸線方向を上下方向、上記中心軸線と交差する方向を前後方向又は左右方向という。
【００２２】
ロックレバー２０は、プラグ本体１０との間に設けられた図示しないバネ部材又はバネ機構によって常時上向きに押圧付勢されており、押し下げられていない通常位置においては、上端の突片２１が本体上面部１０２より上方へ突出した状態で保持される。一方、ロックレバー２０を上記バネ部材又はバネ機構の弾性変形に伴う反力に抗して最下位置まで押し下げれば、突片２１の上端面が本体上面部１０２に面一致した状態となる。
【００２３】
上記突片２１の横幅は、スライド溝３１の内側縁部（以下、「レール部」という）３２の端面相互間の距離、即ち、スライド溝３１の開口幅と略同一に設定されており、突片２１がスライド溝３１に嵌入することで、プラグ本体１０の周方向への回動が阻止される。
【００２４】
支軸１１の本体上面部１０２から上端部（以下、「支軸上端」という）１１２までの高さは、レール下面部３０１からダクトレール３の内側上面（以下、「レール内側上面」という）３０２までの高さ、即ち、スライド溝３１の深さより低く設定されている。
【００２５】
支軸１１の外径は、スライド溝３１の開口幅より小さく設定されている。支軸１１の外周面には、レール部３２の上面部にダクトレール３の内側から当接係合可能な略平板状の係合フランジ１２と、ソケット部５０の図示しない電気配線に繋がる略平板状のプラグ端子１３とが設けられている。
【００２６】
係合フランジ１２およびプラグ端子１３は、何れも支軸１１を挟んで左右対称位置に一つずつ配設されている。係合フランジ１２は、支軸１１の外周面における上下間の略中央位置に設けられ、外側方へ向かって略水平に延出形成されている。一方、プラグ端子１３は、支軸１１の外周面における係合フランジ１２の上方位置、具体的には、プラグ本体１０をダクトレール３に接続した際に、ダクトレール３の内側側面３０３に沿って設けられたレール端子３３に対向する高さ位置に設けられ、外側方へ向かって略水平に突設されている。
【００２７】
係合フランジ１２の前後幅は、支軸１１の外径と略同一の寸法に設定されている。一方、プラグ端子１３の前後幅は、支軸１１の外径より小さい寸法に設定されている。即ち、係合フランジ１２およびプラグ端子１３の前後幅は、何れもスライド溝３１の開口幅より小さい寸法に設定されている。従って、係合フランジ１２の延出方向とスライド溝３１の延長方向とを合致させた向きで、支軸１１をスライド溝３１に下方から差し込めば、係合フランジ１２およびプラグ端子１３は、ダクトレール３の内部空間に収容される。
【００２８】
二つの係合フランジ１２の先端相互間の距離、即ち、係合フランジ１２の張り出し幅は、スライド溝３１の開口幅より大きく設定されている。また、二つのプラグ端子１３の先端相互間の距離は、レール端子３３相互の離間距離と略同一に設定されている。従って、係合フランジ１２の延出方向とスライド溝３１の延長方向とを合致させた向きで、支軸１１をスライド溝３１に差し込み、さらにプラグ本体１０を周方向へ略９０度回動させれば、係合フランジ１２がレール部３２の上面部にダクトレール３の内側から当接係合し、且つ、プラグ端子１３がレール端子３３に当接する。これにより、プラグ本体１０がダクトレール３に対して抜け止め状態で接続支持されると共に、ランプユニット５と図示しない屋内の電気配線とがレール端子３３を通じて電気接続される。
【００２９】
係合フランジ１２と本体上面部１０２との間隙Ｓ２は、レール部３２の上下幅（厚み）と略同一の寸法に設定されており、上記のように係合フランジ１２をレール部３２の上面部に係合させることで、上記間隙Ｓ２にレール部３２が嵌挿される。これにより、プラグ本体１０がダクトレール３に対してがたつき無く接続支持される。
【００３０】
支軸上端１１２には、少なくとも上下方向に高い弾性を有する略円柱状のパッド部材１４が設けられている。パッド部材１４は、プラグ本体１０をダクトレール３に接続させたときの支軸上端１１２とレール内側上面３０２との離間距離以上の高さ（厚み）に形成されている。また、パッド部材１４の上端部（以下、「パッド上端」という）１４２は、略平面状に形成されており、上記のようにプラグ本体１０をダクトレール３に接続させることで、パッド上端１４２の略全面がレール内側上面３０２に圧接され、この圧接摩擦力によって電気プラグ１がスライド溝３１に沿って摺動するのが阻止される。尚、パッド部材１４は、シリコン、ネオプレン、エチレンプロピレンゴム等の合成樹脂系エラストマーや天然ゴムにより形成される。
【００３１】
パッド部材１４は、支軸上端１１２に突設された連結子１５を介して支軸１１に連結支持されている。連結子１５は、金属製の線材で形成されており、図３に示すように、下端がプラグ本体１０の内部にて支持固定されている。一方、連結子１５の上端は、支軸上端１１２から上方へ突出しており、上記上端にパッド部材１４が連結支持されている。
【００３２】
連結子１５の下半域には、略Ｕ字状のループ部１５０が形成されており、連結子１５の上端に対して下向きの押圧力が加わった際に、ループ部１５０の弾性変形に伴う反力によって、パッド部材１４を上方へ押し上げる。即ち、連結子１５は、パッド部材１４を所定の弾性をもって下方から支持している。従って、上記のようにプラグ本体１０をダクトレール３に接続させたとき、パッド部材１４は、パッド部材１４自体の弾性力に加え、連結子１５の弾性力によってもレール内側上面３０２に押し付けられる。よって、電気プラグ１は、スライド溝３１に沿ってより摺動し難い。
【００３３】
このように、上記実施の形態に係る電気プラグ１によれば、プラグ本体１０をダクトレール３のスライド溝３１に接続させたとき、支軸上端１１２に設けられたパッド部材１４がレール内側上面３０２に圧接されるから、たとえプラグ本体１０にスライド溝３１の延長方向への力が加わっても、元の接続位置からずれ難く、設置安定性が高い。従って、照明器具の配置が意図せず変わってしまう虞が少ない。
【００３４】
また、ダクトレール３に対する接続位置が元の位置からずれ難いから、支軸上端１１２にアース端子を突設し、上記アース端子の上端がレール内側上面３０２に当接するような構成であっても、レール内側上面３０２が上記アース端子によって傷つけられたり、不要な騒音が発生したりする虞がない。
【００３５】
しかも、接続位置が元の位置からずれ難い分、上記実施の形態に係る電気プラグ１のように、二つの電気プラグ１を用いて直管状のランプ５Ｅを接続保持するような使用形態を採用しても、ランプ５Ｅがソケット部５０から脱落する虞が少ないから、汎用性も高い。
【００３６】
さらに、このものでは、プラグ本体１０をスライド溝３１に接続させたとき、パッド部材１４は、パッド部材１４自体の弾性力に加え、連結子１５の弾性力によってもレール内側上面３０２に押し付けられるから、ダクトレール３に対する接続位置のずれをより確実に防止できる。従って、照明器具の配置が意図せず変わってしまう虞がより少ない。
【００３７】
尚、上記実施の形態では、パッド部材１４が支軸上端１１２に連結子１５を介して連結支持されたものを説明したが、プラグ本体１０のスライド溝３１の延長方向へのずれを十分に阻止可能であれば、パッド部材１４は、支軸上端１１２に対してねじ留めや接着、挟み込み、嵌め込みなどにより固定されたものとしてもよい。
【００３８】
また、上記実施の形態では、連結子１５の上端にパッド部材１４が連結支持されたものを説明したが、連結子１５がアース端子の機能を兼備し、連結子１５の上端がパッド部材１４を貫通してレール内側上面３０２に当接するように構成されたものとしてもよい。
【００３９】
また、上記実施の形態では、連結子１５がプラグ本体１０の内部にて支持固定されたものを説明したが、連結子１５がプラグ本体１０の内部でロックレバー２０に連結されており、ロックレバー２０を上下に摺動させるのに連動して、パッド部材１４が上下に移動するように構成されたものとしてもよい。
【００４０】
このものでは、ロックレバー２０をバネ部材又はバネ機構の弾性変形に伴う反力に抗して押し下げれば、それに連動してパッド部材１４もプラグ本体１０側へ移動し、パッド上端１４２がレール内側上面３０２から離反した状態となるから、その分、プラグ本体１０を周方向へ回動させる際の回動抵抗が小さい。これにより、ダクトレール３に対してプラグ本体１０を容易に着脱することができる。
【００４１】
上記実施の形態に係る電気プラグ１は、二つの電気プラグ１を用いて直管状のランプ５Ｅを接続保持するような使用形態に限らず、支持アームにより天井や壁面などに支持固定させて使用されるスポットライト、吊り下げワイヤにより天井に吊り下げて使用されるペンダントライト等の電気プラグとして用いることもできる。
【符号の説明】
【００４２】
１      電気プラグ
１０    プラグ本体
１０２  プラグ本体の上面部
１１    支軸
１１２  支軸の上端部
１２    係合フランジ
１３    プラグ端子
１４    パッド部材
１５    連結子
２０    ロックレバー
３      ダクトレール
３０１  ダクトレールの下面部
３０２  ダクトレールの内側上面
３１    スライド溝
３２    内側縁部
３３    レール端子
５      ランプユニット
【図１】
2019016432.tif 000003
【図２】
2019016432.tif 000004
【図３】
2019016432.tif 000005
【図４】
2019016432.tif 000006
【図５】
2019016432.tif 000007
【図６】
2019016432.tif 000008